(57)【要約】【課題】  埋込式水栓において、湯水が吐水される吐水口はデザインの自由度が増し、美観を向上させる。【解決手段】  カウンター１に対し下部から取り付けられる水栓本体２と、カウンター１の上部に露出された状態で取り付けられ、水栓本体２から供給される湯水を外部へ吐水する吐水口５とを備えた埋込式水栓Ａにおいて、前記水栓本体２は、カウンター１の上部に露出され内部に湯水が通過する流路１５ａが形成された接続筒１５と、この接続筒１５の内部に回転自在に装着される取付金具１８と、カウンター１の上部から接続筒１５に螺着され、接続筒１５をカウンター１へ固定するナット１７とが設けられ、前記吐水口５はナット１７を覆うようにして取付金具１８に固定されるようにした。【選択図】  図２
2005336758.tif 000002
【特許請求の範囲】
【請求項１】
カウンターに対し下部から取り付けられる水栓本体と、カウンターの上部に露出された状態で取り付けられ、水栓本体から供給される湯水を外部へ吐水する吐水口とを備えた埋込式水栓において、前記水栓本体は、カウンターの上部に露出され内部に湯水が通過する流路が形成された接続筒と、この接続筒の内部に回転自在に装着される取付金具と、カウンターの上部から接続筒に螺着され、接続筒をカウンターへ固定するナットとが設けられ、前記吐水口はナットを覆うようにして取付金具に固定されることを特徴とする埋込式水栓。
【請求項２】
前記ナットは外周面にスリップリングが装着され、吐水口が円滑に回転されるようにしたことを特徴とする請求項１記載の埋込式水栓。
【発明の詳細な説明】
【技術分野】
【０００１】
この発明は、浴槽，洗面化粧台等のカウンターに取り付けられる水栓において、湯水が吐水される吐水口が、カウンターの上部に露出した状態で回転自在に取り付けられる埋込式水栓に関するものである。
【背景技術】
【０００２】
この種の埋込式水栓は、水栓本体は浴槽、洗面化粧台等に設けられたカウンターの下部に配置され、カウンターの上部に、湯水が浴槽や洗面ボウルに向けて吐水される吐水口と、湯水の流量と温度とを調節するためのハンドルとが露出されるものである。このような所謂埋込式水栓はカウンターの上部に水栓本体が露出しないため、浴槽や洗面化粧台等のカウンター上部をすっきりとさせることができるが、カウンターの上部に露出する吐水口とハンドルのデザインは、美観を向上させるため極めて重要となる。
【０００３】
そして、特許文献１の埋込式水栓では、水栓本体の湯用栓と水用栓との間に形成された吐水口接続部をカウンターの上部に露出させ、その吐水口接続部は上部から略円筒形のカバーを螺着することでカウンターへ固定され、カバーの上端部には吐水口が回転自在に装着されている。
【０００４】
【特許文献１】実公昭５９−３８５号公報
【発明の開示】
【発明が解決しようとする課題】
【０００５】
ところがこのような埋込式水栓では、吐水口接続部をカウンターへ固定するためのカバーがカウンターの上部に露出するが、カバーは通常デザインを考慮した物品ではなく、浴槽、洗面化粧台等で露出した状態であると美観を損なうものである。しかも、カバーの上端部には吐水口が装着されるが、吐水口とカバーとは上下に重なり合うため一体感を持たせるような形状とする必要があり、吐水口は円筒状のカバーによりデザインが制約されてしまい、美観の向上に限界があった。
【０００６】
この発明は、このような従来の技術に存在する問題点に着目してなされたものであり、その課題は、埋込式水栓において、湯水が吐水される吐水口はデザインの自由度が増し、美観を向上させることである。
【課題を解決するための手段】
【０００７】
上記目的を達成するため、請求項１に記載の発明では、カウンターに対し下部から取り付けられる水栓本体と、カウンターの上部に露出された状態で取り付けられ、水栓本体から供給される湯水を外部へ吐水する吐水口とを備えた埋込式水栓において、前記水栓本体は、カウンターの上部に露出され内部に湯水が通過する流路が形成された接続筒と、この接続筒の内部に回転自在に装着される取付金具と、カウンターの上部から接続筒に螺着され、接続筒をカウンターへ固定するナットとが設けられ、前記吐水口はナットを覆うようにして取付金具に固定されることを特徴とするものである。
【０００８】
請求項２に記載の発明では、請求項１記載の埋込式水栓において、前記ナットは外周面にスリップリングが装着され、吐水口が円滑に回転されるようにしたことを特徴とするものである。
【発明の効果】
【０００９】
本発明の埋込式水栓は、吐水口はナットを覆うようにしてカウンターの上部で水栓本体へ取り付けられるので、その外観形状はナットの形状に制限されることなく自由に形成することができ、吐水口の美観を向上させることができる。しかも、吐水口は取付金具と一体に回転するので、広い範囲で湯水を吐水することができる。
【００１０】
また、請求項２ではナットは外周面にスリップリングが装着されるので、回転軸に固定される吐水口を円滑に回転させることができる。
【発明を実施するための最良の形態】
【００１１】
以下、本発明の実施例を図に基づいて詳細に説明する。
【実施例１】
【００１２】
図１及び図２に示すように、埋込式水栓Ａは浴槽や洗面化粧台等に設けられた水平なカウンター１に取り付けられるものであり、カウンター１に対し下部から固定される水栓本体２と、この水栓本体２の左右両側にそれぞれ装着され、カウンター１の上部に露出される湯側ハンドル３及び水側ハンドル４と、両ハンドル３，４の間でカウンター１の上部に露出され、水栓本体２に装着される吐水口５とを備えている。
【００１３】
前記水栓本体２は横長の略逆Ｔ字形で、湯側ハンドル３が装着される給湯部６と水側ハンドル４が装着される給水部７とが左右両端に形成され、給湯部６と給水部７とは胴体部８により連通している。給湯部６と給水部７とは下部に入口部９，９がそれぞれ形成され、各入口部９，９には、湯が供給される湯供給管１０と水が供給される水供給管１１とがそれぞれ接続されている。給湯部６と給水部７とは上部外周面に雄ねじ部１２，１２がそれぞれ形成され、各雄ねじ部１２，１２の外周には円筒状の固定部材１３，１３がそれぞれ装着される。そして、カウンター１に互いに間隔を設けて穿設された挿通孔１ａ，１ａに、下部から水栓本体２の給湯部６と給水部７とを挿通し、カウンター１の上部から各雄ねじ部１２，１２に固定ナット１４，１４を螺着し、固定部材１３と固定ナット１４とによりカウンター１を挟着することで、水栓本体２はカウンター１に固定される。
【００１４】
水栓本体２の給湯部６と給水部７とは、カウンター１に穿設された挿通孔１ａ，１ａを下部から上部に挿通するものであり、挿通孔１ａ，１ａから露出した上部に湯側ハンドル３と水側ハンドル４とがそれぞれ装着され、各ハンドル３，４の操作で、流量が調節された湯と水とは胴体部８に供給される。胴体部８は給湯部６と給水部７とから供給される湯と水とが混合される通路８ａが内部に形成されており、その水平方向中間部分から上部に向けて略円筒状の接続筒１５が突出して設けられている。この接続筒１５は内部に湯水が通過する流路１５ａが、外周面には雄ねじ部１５ｂが形成され、雄ねじ部１５ｂの外周に固定部材１３が装着される。そして、給湯部６と給水部７とがカウンター１の挿通孔１ａ，１ａに挿通されると、両挿通孔１ａ，１ａの中間部に穿設された挿通孔１ｂに対し下部から上部に向けて接続筒１５が挿通され、カウンター１の上部から接続筒１５の雄ねじ部１５ｂに固定用のナット１７を螺着し、固定部材１３とナット１７とによりカウンター１を挟着することで、接続筒１５はカウンター１に固定される。図３に示すように、ナット１７は下部外周面に環状の溝部１７ｂが形成され、この溝部１７ｂにはスリップリング１７ｃが装着される。スリップリング１７ｃは摺動性の優れた樹脂材により形成されており、吐水口５の回転を円滑にするものである。
【００１５】
前記胴体部８の接続筒１５は、内部に取付金具１８が回転自在に装着される。この取付金具１８は略円筒状で、内部には通路８ａと連通する貫通孔１９が上下に貫通して形成されており、その上端部にはナット１７の上面に形成された小径孔１７ａを挿通するように小径部２０が形成されている。この小径部２０の外周面の下方には、抜け止めリング１６が装着される環状の凹溝２１が形成され、上方には、ビス３１が螺着される横溝２２と、外周面の一部を切り欠いて形成された平面部２３とがそれぞれ形成されている。
【００１６】
前記抜け止めリング１６は、合成樹脂材により形成された薄板状のリングで、その内周縁と外周縁との間に切欠１６ａが形成され、外方向に拡開可能としたものである。取付金具１８は小径部２０をナット１７の小径孔１７ａに挿通した状態で、前記抜け止めリング１６を凹溝２１に嵌合することにより、取付金具１８のナット１７からの抜け出しを防止し、しかも取付金具１８はナット１７に対し回転自在に取り付けられるものである。
【００１７】
取付金具１８の下部外周面には環状溝２４，２４が上下に併設して形成され、この環状溝２４，２４には接続筒１５の内周面に水密的に密着するパッキン２５，２５が装着されている。取付金具１８の底部には、下部に向けて一部が突出して突部２６が形成されている。この突部２６は半円筒形で、水栓本体２の接続筒１５の内部に形成されたストッパー１５ｃと回転方向に向かい合う位置に形成されており、取付金具１８は接続筒１５の内部を回転時にストッパー１５ｃに当接することで、その回転角度が規制される。
【００１８】
吐水口５は、その基部５ａから先端部５ｂに向けて湾曲して形成され、内部には取付金具１８の貫通孔１９を通過する湯水と連通する通水路２７が形成されている。吐水口５は底面が開口されており、この底面内部にはナット１７を覆う被覆部２８が形成されている。被覆部２８の上方には嵌合部２９が形成され、この嵌合部２９は前記取付金具１８の平面部２３に嵌合することで、吐水口５と取付金具１８とは一体に回転する。即ち、吐水口５の回転角度は取付金具１８の回転可能な範囲と同一である。
【００１９】
前記吐水口５は基部５ａの側面に横孔３０が穿設されており、この横孔３０にビス３１を螺合し、ビス３１の先端を取付金具１８の横溝２２に当接させることで、吐水口５は取付金具１８に固定され、しかも上方側への抜け止めがなされる。
【００２０】
本発明の埋込式水栓Ａにおいて、吐水口５の水栓本体２への取付手順を説明する。
まず、水栓本体２の給湯部６，給水部７，接続部８の各雄ねじ部１２，１２，１５ａに固定部材１３がそれぞれ装着された状態で、カウンター１に穿設された取付孔１ａ，１ａ，１ｂに対して下部から上部に向けて給湯部６，給水部７，接続部８を挿通する。そして、カウンター１の上部から給湯部６，給水部７の各雄ねじ部１２，１２に固定ナット１４，１４を装着し、水栓本体２をカウンター１に取り付ける。
【００２１】
次に、取付金具１８の小径部２０をナット１７の小径孔１７ａに挿通させた状態で、抜け止めリング１６を小径部２０の凹溝２１に嵌合し、取付金具１８をナット１７に対して回転自在に取り付ける。この時、小径部２０に形成された横溝２２及び平面部２３はナット１７から上方に露出した状態である。そして、取付金具１８を接続筒１５の上端開口より挿入すると共に、ナット１７を接続筒１５の雄ねじ部１５ｂに螺着することで、取付金具１８は接続筒１５に固定される。
【００２２】
そして、吐水口５の横孔３０と取付金具１８の横溝２２とが同一軸線上となるように吐水口５の向きを合わせ、吐水口５に形成された嵌合部２９を取付金具１８の平面部２３に嵌合させる。この時、ナット１７は吐水口５に形成された被覆部２８により覆い隠された状態となる。そして、ビス３１を横孔３０にねじ込んで、ビス３１の先端を取付金具１８の横溝２２に当接させる。これにより、吐水口５と取付金具１８とは一体に回転し、しかも吐水口５の上方側への抜け止めがなされる。最後に、キャップ３２を横孔３０に嵌め込むと取り付けが完了する。
【００２３】
このように、吐水口５はナット１７を覆うようにして取付金具１８に固定されるものであり、その外観形状はナット１７に左右されることなく自由に形成することができ、吐水口５の美観を向上させることができる。しかも、吐水口５は取付金具１８と一体に回転するので、広い範囲で湯水を吐水することができる。
【００２４】
なお、本実施例では、水栓本体は湯側ハンドルと水側ハンドルとを備えた２ハンドル式について説明したが、ミキシング式、サーモスタット式、シングルレバー式であってもよい。
【図面の簡単な説明】
【００２５】
【図１】本発明の埋込式水栓がカウンターに取り付けられた状態を示す説明図である。
【図２】埋込式水栓の一部断面図である。
【図３】吐水口の取付構造を示す分解断面図である。
【図４】吐水口の取付構造を示す分解斜視図である。
【図５】吐水口と取付金具との関係を示す斜視図である。
【符号の説明】
【００２６】
１    ：カウンター
２    ：水栓本体
５    ：吐水口
１５  ：接続筒
１５ａ：流路
１７  ：ナット
１８  ：取付金具
Ａ    ：埋込式水栓
【図１】
2005336758.tif 000003
【図２】
2005336758.tif 000004
【図３】
2005336758.tif 000005
【図４】
2005336758.tif 000006
【図５】
2005336758.tif 000007